(57)【要約】【課題】  本発明は、ラジオ受信機及びラジオ受信機の制御方法に関し、例えばＤＡＢによる地上ディジタル音声放送方式の受信機に適用して、所望する番組を簡易かつ確実にメモリ登録することができるようにする。【解決手段】  本発明は、番組のジャンルとビットレートとにより番組を選択してプリセットメモリの処理を実行する。【選択図】        図１
2007043350.tif 000002
【特許請求の範囲】
【請求項１】
アンテナで受信される複数の放送波から１つの放送波を選択し、該選択した１つの放送波から多重化された各番組の各ジャンルを示すプログラムタイプの情報、前記各番組の選択に必要な選局情報を再生すると共に、１つの番組に係るオーディオ信号を出力する受信系と、
登録された番組の選択をそれぞれ指示する複数の選局用の操作子と、
前記選局用の操作子に登録された各番組の選択に必要な情報を記録するメモリと、
前記選局用の操作子の操作により、前記メモリに記録された対応する情報に従って、該選択された選局用の操作子に登録された番組の受信を前記受信系に指示する制御部とを有し、
前記制御部は、
前記複数の選局用の操作子への前記番組の割り当ての指示により、
前記受信系を制御して、前記受信系で選択する前記１つの放送波を順次切り換え、各放送波に多重化された各番組のビットレート、前記選局情報、前記プログラムタイプの情報を順次検出し、
ユーザーにより指示されたジャンルであって、前記ビットレートの高い番組より順次、前記複数の選局用の操作子に前記番組を割り当てるように、対応する番組の選択に必要な情報を前記メモリに記録する
ことを特徴とするラジオ受信機。
【請求項２】
前記メモリに記録する番組の選択に必要な情報が、
少なくとも前記放送波の受信周波数と前記選局情報とである
ことを特徴とする請求項１に記載のラジオ受信機。
【請求項３】
アンテナで受信される複数の放送波から１つの放送波を選択し、該選択した１つの放送波から多重化された各番組の各ジャンルを示すプログラムタイプの情報、前記各番組の選択に必要な選局情報を再生すると共に、１つの番組に係るオーディオ信号を出力する受信系と、
登録された番組の選択をそれぞれ指示する複数の選局用の操作子と、
前記選局用の操作子に登録された各番組の選択に必要な情報を記録するメモリと、
前記選局用の操作子の操作により、前記メモリに記録された対応する情報に従って、該選択された選局用の操作子に登録された番組の受信を前記受信系に指示する制御部とを有するラジオ受信機の制御方法であって、
前記複数の選局用の操作子への前記番組の割り当ての指示により、前記受信系を制御して、前記受信系で選択する前記１つの放送波を順次切り換え、各放送波に多重化された各番組のビットレート、前記選局情報、前記プログラムタイプの情報を順次検出する番組サーチのステップと、
前記番組サーチのステップによる検出結果に基づいて、ユーザーにより指示されたジャンルであって、前記ビットレートの高い番組より順次、前記複数の選局用の操作子に前記番組を割り当てるように、対応する番組の選択に必要な情報を前記メモリに記録する番組登録のステップとを有する
ことを特徴とするラジオ受信機の制御方法。
【発明の詳細な説明】
【技術分野】
【０００１】
本発明は、ラジオ受信機及びラジオ受信機の制御方法に関し、例えばＤＡＢ（Digital
Audio Broadcasting ）による地上ディジタル音声放送方式の受信機に適用することができる。本発明は、番組のジャンルとビットレートとにより番組を選択してプリセットメモリの処理を実行することにより、所望する番組を簡易かつ確実にメモリ登録することができるようにする。
【背景技術】
【０００２】
従来、地上ディジタル音声放送方式は、Ｅｕｒｅｋａ１４７規格に従ったＤＡＢが実用に供されている。ここでこのＤＡＢは、１．５〔ＭＨｚ〕の伝送帯域を用いた直交周波数分割多重変調によりデータ圧縮したオーディオデータを放送しており、この１．５〔ＭＨｚ〕の伝送帯域による１つの放送波がアンサンブルと称され、例えばバンド３として規定された周波数１７４．９２８〜２３９．２００〔ＭＨｚ〕のバンドでは、４１のアンサンブルを設けることができる。
【０００３】
また各アンサンブルは、サービスと呼ばれるグループに分割され、ＤＡＢでは、この各サービスにより一般の放送局の番組が提供される。これによりＤＡＢは、複数の番組を多重化して１つの放送波により放送し、この１つの放送波により伝送される高速情報チャンネル（ＦＩＣ：Fast Information Channel）により、選局情報、補助情報等が提供される。ここで選局情報は、この１つの放送波により放送される複数の番組から所望する１つの番組を選択するのに必要な情報である。また補助情報は、この１つの放送波により放送される複数の番組について、各番組のジャンルを示すプログラムタイプ等の情報であり、ここでこのジャンルは、音楽番組では、ポップミュージック、ロックミュージック、クラシックミュージック等が設けられており、また音楽番組以外ではスポーツ、ニュース、天気予報等が設けられている。
【０００４】
このＤＡＢを受信する従来の車載用ＤＡＢ受信機は、マニュアル操作により、又はオートメモリの処理により、プリセットメモリの処理を実行していた。すなわち車載用ＤＡＢ受信機は、それぞれ登録した番組の選局を指示する選局用の操作子（プリセットキーである）が複数設けられ、各選局用の操作子と対応付けて、各選局用の操作子に登録された番組の受信に必要な情報がメモリに記録されて、選局用の操作子に番組が登録される。なおここで番組の受信に必要な情報は、放送波の受信周波数、上述の選局情報である。
【０００５】
プリセットメモリの処理は、この各選局用の操作子に番組の登録を受け付ける処理である。マニュアル操作によるプリセットメモリの処理は、登録に供するサービスを受信した状態で、登録を指示する操作子を操作した後、このサービスを登録する選局用の操作子を操作することにより、この選局用の操作子と対応付けてこのサービスに係る一連の情報がメモリに登録されて実行される。これにより車載用ＤＡＢ受信機は、選局用の操作子の操作によりメモリに登録した情報に基づいて、受信周波数を切り換えてアンサンブルを選択した後、このアンサンブルにより提供される複数のサービスから選局情報によるサービスを選択し、単に所望する番組を登録した選局用の操作子を操作するだけの簡易な操作により、この選局用の操作子に登録された番組をユーザーに提供する。
【０００６】
これに対してオートメモリの処理では、図４に示す処理手順の実行によりプリセットメモリの処理が実行される。すなわちこの場合、車載用ＤＡＢ受信機は、ステップＳＰ１からステップＳＰ２に移ってＤＡＢを受信する。また続いてオートメモリの処理を指示するオートメモリキーのユーザーによる操作を受け付け、続くステップＳＰ４において、受信周波数を順次スキャンしてアンサンブルを順次受信し、各アンサンブルの先頭サービスを順次メモリに登録する。これによりオートメモリによりプリセットメモリの処理が完了し、車載用ＤＡＢ受信機は、続くステップＳＰ５において、プリセットキーの操作により、メモリに記録されたサービスをユーザーに提供する。
【０００７】
このような選局の処理に関して、例えば特開２０００−９１９３４号公報には、第１の操作子の操作により１つのアンサンブルにより提供される複数のサービスを一定の時間間隔により順次循環的にユーザーに提供するようにして、第２の操作子の操作によりサービスを確定させる方法が提案されている。
【０００８】
ところでこのようにしてオートメモリの処理によりプリセットメモリの処理を実行する場合にあっては、簡易な操作によりプリセットメモリの処理を実行できる反面、必ずしもユーザーの所望する番組をメモリ登録することが困難な問題がある。この問題を解決する１つの方法としてマニュアル操作によりプリセットメモリの処理を実行する方法も考えられるが、この場合は、選局用の操作子毎に、一連の操作を実行することが必要なことにより、操作が煩雑になる。特にＤＡＢでは、多数のサービスが提供されていることにより、メモリ登録するサービスを選択する操作に限って見ても、容易ではない。具体的に、ロンドンでは、５０局のサービスが提供されており、ポップミュージックの専門局だけでも、１３局程度のサービスが提供されている。
【特許文献１】特開２０００−９１９３４号公報
【発明の開示】
【発明が解決しようとする課題】
【０００９】
本発明は以上の点を考慮してなされたもので、所望する番組を簡易かつ確実にメモリ登録することができるラジオ受信機、ラジオ受信機の制御方法を提案しようとするものである。
【課題を解決するための手段】
【００１０】
かかる課題を解決するため請求項１の発明は、ラジオ受信機に適用して、アンテナで受信される複数の放送波から１つの放送波を選択し、該選択した１つの放送波から多重化された各番組の各ジャンルを示すプログラムタイプの情報、前記各番組の選択に必要な選局情報を再生すると共に、１つの番組に係るオーディオ信号を出力する受信系と、登録された番組の選択をそれぞれ指示する複数の選局用の操作子と、前記選局用の操作子に登録された各番組の選択に必要な情報を記録するメモリと、前記選局用の操作子の操作により、前記メモリに記録された対応する情報に従って、該選択された選局用の操作子に登録された番組の受信を前記受信系に指示する制御部とを有し、前記制御部は、前記複数の選局用の操作子への前記番組の割り当ての指示により、前記受信系を制御して、前記受信系で選択する前記１つの放送波を順次切り換え、各放送波に多重化された各番組のビットレート、前記選局情報、前記プログラムタイプの情報を順次検出し、ユーザーにより指示されたジャンルであって、前記ビットレートの高い番組より順次、前記複数の選局用の操作子に前記番組を割り当てるように、対応する番組の選択に必要な情報を前記メモリに記録する。
【００１１】
また請求項３の発明は、アンテナで受信される複数の放送波から１つの放送波を選択し、該選択した１つの放送波から多重化された各番組の各ジャンルを示すプログラムタイプの情報、前記各番組の選択に必要な選局情報を再生すると共に、１つの番組に係るオーディオ信号を出力する受信系と、登録された番組の選択をそれぞれ指示する複数の選局用の操作子と、前記選局用の操作子に登録された各番組の選択に必要な情報を記録するメモリと、前記選局用の操作子の操作により、前記メモリに登録された対応する情報に従って、該選択された選局用の操作子に記録された番組の受信を前記受信系に指示する制御部とを有するラジオ受信機の制御方法に適用して、前記複数の選局用の操作子への前記番組の割り当ての指示により、前記受信系を制御して、前記受信系で選択する前記１つの放送波を順次切り換え、各放送波に多重化された各番組のビットレート、前記選局情報、前記プログラムタイプの情報を順次検出する番組サーチのステップと、前記番組サーチのステップによる検出結果に基づいて、ユーザーにより指示されたジャンルであって、前記ビットレートの高い番組より順次、前記複数の選局用の操作子に前記番組を割り当てるように、対応する番組の選択に必要な情報を前記メモリに記録する番組登録のステップとを有するようにする。
【００１２】
請求項１の構成により、ラジオ受信機に適用して、アンテナで受信される複数の放送波から１つの放送波を選択し、該選択した１つの放送波から多重化された各番組の各ジャンルを示すプログラムタイプの情報、前記各番組の選択に必要な選局情報を再生すると共に、１つの番組に係るオーディオ信号を出力する受信系と、登録された番組の選択をそれぞれ指示する複数の選局用の操作子と、前記選局用の操作子に登録された各番組の選択に必要な情報を記録するメモリと、前記選局用の操作子の操作により、前記メモリに記録された対応する情報に従って、該選択された選局用の操作子に登録された番組の受信を前記受信系に指示する制御部とを有し、前記制御部は、前記複数の選局用の操作子への前記番組の割り当ての指示により、前記受信系を制御して、前記受信系で選択する前記１つの放送波を順次切り換え、各放送波に多重化された各番組のビットレート、前記選局情報、前記プログラムタイプの情報を順次検出し、ユーザーにより指示されたジャンルであって、前記ビットレートの高い番組より順次、前記複数の選局用の操作子に前記番組を割り当てるように、対応する番組の選択に必要な情報を前記メモリに記録すれば、選局用の操作子には、所望するジャンルの番組であって、ビットレートの高い音質の良い番組より順次登録される。ここでビットレートの高い音質の良い番組は、ビットレートの低い音質の良く無い番組に比して、ユーザーの所望する番組である可能性が高いと言える。これによりこの請求項１の構成によれば、選局用の操作子への前記番組の割り当ての指示により、自動的に、ユーザーの所望する可能性の高い番組を順次選局用の番組に割り当ててメモリ登録することができ、これにより所望する番組を簡易かつ確実にメモリ登録することができる。
【００１３】
これにより請求項３の構成によれば、所望する番組を簡易かつ確実にメモリ登録することができるラジオ受信機の制御方法を提供することができる。
【発明の効果】
【００１４】
本発明によれば、所望する番組を簡易かつ確実にメモリ登録することができる。
【発明を実施するための最良の形態】
【００１５】
以下、適宜図面を参照しながら本発明の実施例を詳述する。
【実施例１】
【００１６】
（１）実施例の構成
図２は、本発明の実施例に係る車載用ＤＡＢ受信機の正面図である。この車載用ＤＡＢ受信機１は、左端側に、電源のオンオフを指示する電源の操作子（Ｐｏｗｅｒ）２、ソース切り換えの操作子（Ｓｏｕｒｃｅ）３、バンド切り換えの操作子（Ｂａｎｄ）４が設けられる。ここでソース切り換えの操作子３は、ＤＡＢ、従来のラジオ放送、コンパクトディスクを選択する操作子であり、バンド切り換えの操作子４は、ソース切り換えの操作子３の操作により従来のラジオ放送が選択された場合には、ＡＭ放送、ＦＭ放送、ＬＷ放送を選択し、ＤＡＢが選択された場合にはＤＡＢのバンドを選択する操作子である。
【００１７】
また車載用ＤＡＢ受信機１は、右端側に、シークの操作子（Ｓｅｅｋ）５、プログラムタイプの操作子（ＰＴＹ）６が設けられる。ここでシークの操作子５は、現在受信中のサービスを次のサービスに切り換える操作子であり、プログラムタイプの操作子６は、聞きたい番組をプログラムタイプにより指示する操作子である。車載用ＤＡＢ受信機１は、後述するコントローラ１２の制御により、プログラムタイプの操作子６が操作された後、シークの操作子５が操作されると、いわゆるプログラムシークの処理を実行する。
【００１８】
車載用ＤＡＢ受信機１は、下端側に、選局用の操作子（プリセットキー）７Ａ〜７Ｆ、オートメモリの処理を指示するオートメモリの操作子（Ａ  Ｍｅｍｏ）８が設けられ、さらに中央に、液晶表示パネル等による表示部９が設けられる。車載用ＤＡＢ受信機１は、この表示部９に、各種操作子２〜８の操作による設定が表示され、この図２に示す例では、ソース切り換えの操作子３の操作によりＤＡＢが選択され、バンド切り換えの操作子４の操作子の操作によりバンド１（Ｂａｎｄ１）が選択され、さらにプログラムタイプの操作子６の操作によりポップミュージックのサービスが選択されていることが示されている。
【００１９】
図３は、この車載用ＤＡＢ受信機１のＤＡＢに係る構成を示すブロック図である。この車載用ＤＡＢ受信機１において、チューナー１１は、コントローラ１２の制御によりアンテナ１３で受信される複数の放送波から、ユーザーにより指示されたサービスに係るアンサンブルの放送波を選局して中間周波信号に変換し、アナログディジタル変換回路（Ａ／Ｄ）１４は、この中間周波信号をアナログディジタル変換処理して出力する。ベースバンド処理部１５は、このアナログディジタル変換回路１４から出力されるディジタル信号を直交復調、高速フーリエ変換処理、ビタビ復号処理し、ユーザーにより指示されたサービスに係るオーディオデータを出力し、またアンサンブルに含まれる高速情報チャンネルによる各種の情報をコントローラ１２に通知する。オーディオデコーダ１６は、このベースバンド処理部１５から出力されるオーディオデータをデータ伸長し、その結果得られるオーディオデータを図示しない音声信号処理系に出力する。この車載用ＤＡＢ受信機１では、この音声信号処理系によりスピーカを駆動し、これによりユーザーの所望するサービスの音声をユーザーに提供する。なおこの車載用ＤＡＢ受信機１は、このＤＡＢに係る構成に加えて、コントローラ１２により制御される従来のラジオ放送を受信する構成、コンパクトディスクを再生する構成が設けられる。
【００２０】
コントローラ１２は、図示しないメモリに記録された処理プログラムの実行により、この車載用ＤＡＢ受信機１の動作を制御する演算処理手段である。なおこの実施例では、このコントローラ１２の処理に係るプログラムは、メモリへの記録により事前にインストールされて提供されるものの、このような事前のインストールによる提供に代えて、インターネット等のネットワークを介したダウンロードにより提供してもよく、また光ディスク、磁気ディスク、メモリカード等の記録媒体からのダウンロードにより提供してもよい。
【００２１】
コントローラ１２は、これにより電源の操作子２の操作により動作を立ち上げ、ソースの操作子３が押圧操作される毎に、ＤＡＢ、従来のラジオ放送、コンパクトディスクでユーザーに提供するソースを順次循環的に切り換え、またバンド切り換えの操作子４の操作により、ユーザーに提供するソースのバンドを切り換える。またプログラムタイプの操作子６の押圧操作により、ユーザーに提供するサービスのジャンルを順次切り換え、またこのジャンルを表示部９により表示する。またシークの操作子５の操作により、プログラムシークの処理を実行するように、全体の動作を制御する。
【００２２】
これに対して選局用の操作子７Ａ〜７Ｆの何れかが操作されると、選局用の操作子に対応する図示しないメモリに記録された操作された選局用の情報により、チューナー１１に受信周波数の切り換えを指示してアンサンブルを選択した後、ベースバンド処理部１５にサービスの選択を指示し、これにより操作された選局用の操作子７Ａ〜７Ｆに登録された番組に係るサービスを受信するように全体の動作を制御する。
【００２３】
これに対してユーザーによりオートメモリの処理が指示されると、図１の処理手順の実行により、これら選局用の操作子７Ａ〜７Ｆに順次番組を登録する。すなわちコントローラ１２は、この処理手順を開始すると、ステップＳＰ１１からステップＳＰ１２に移り、ＤＡＢを受信する。また続いてステップＳＰ１３に移り、ここでプログラムタイプの操作子６の操作により、プリセットにより登録するサービスについて、ジャンルの選択を受け付ける。また続くステップＳＰ１４において、プログラムタイプが選択された後、一定時間以内（例えば８秒以内）、オートメモリの操作子８の操作を受け付け、続くステップＳＰ１５において、アンサンブルを順次切り換えてステップＳＰ１２で受け付けたプログラムタイプのサービスをサーチする。これによりコントローラ１２は、ユーザーの指示したプログラムタイプについて、受信可能なサービスを順次検出する。この処理において、コントローラ１２は、高速情報チャンネルに設定された各番組に係るデータ量の情報により、各サービスのビットレートを検出する。
【００２４】
続いてコントローラ１２は、ステップＳＰ１６に移り、このようにして検出した各サービスからビットレートの高い順にサービスを選択し、この選択したサービスを各選局用の操作子７Ａ〜７Ｆに順次登録する。すなわちこの場合、ステップＳＰ１５で検出したアンサンブルの受信周波数、このアンサンブル中における対応するサービスの選局情報を、対応する選局用の操作子７Ａ〜７Ｆと対応付けてメモリに登録し、これによりオートメモリの処理を実行する。なおコントローラ１２は、ビットレートが等しい場合には、サービス名のアルファベット順によりサービスを登録する。また選局用の操作子７Ａ〜７Ｆに順次番組を登録して、登録し切れない番組は、登録を諦める。
【００２５】
これによりコントローラ１２は、続くステップＳＰ１７において、プリセットキーの操作により、メモリに記録されたサービスをユーザーに提供する。コントローラ１２は、プログラムタイプ毎に、このオートメモリの処理に係るプリセットキーの操作を受け付け、これにより各プログラムタイプ毎に、選局用の操作子７Ａ〜７Ｆと対応付けて、アンサンブルの受信周波数、サービスの選局情報をメモリに登録する。また従来構成について上述したと同様にして、マニュアルの操作によっても、所望する選局用の操作子に番組の登録を受け付け、これによりこの図１の処理手順により登録した番組の変更を受け付ける。
【００２６】
これらによりコントローラ１２は、これにより上述したように選局用の操作子７Ａ〜７Ｆが選択操作された場合には、現在選択されているプログラムタイプについて、メモリに記録されたアンサンブルの受信周波数、サービスの選局情報によりチューナー１１、ベースバンド処理部１５を制御し、ユーザーの所望する番組を提供する。
【００２７】
（２）実施例の動作
以上の構成において、この車載用ＤＡＢ受信機１では（図２）、アンテナ１３で受信される多数の放送波がチューナー１１により選択されて中間周波信号に変換され、この中間周波信号がディジタル信号に変換された後、ベースバンド処理部１５で処理され、これによりこの選択された１つの放送波により多重化されて伝送される複数の番組からユーザーの所望する番組が選択され、この番組のオーディオ信号がオーディオデコーダ１６により復号されてユーザーに提供される。またこのベースバンド処理部１５における処理により、この１つの放送波に多重化された各番組の各ジャンルを示すプログラムタイプの情報、各番組の選択に必要な選局情報が再生される。またこの選局情報により、この放送波による複数の番組から所望する番組が選択され、さらにはＰＴＹサーチの処理により所望する番組が選択される。
【００２８】
これに対してプログラムタイプの操作子６の操作によりプログラムタイプが指示された後、一定時間以内に、オートメモリの操作子８が操作されると、制御部であるコントローラ１２の制御によりチューナー１１における受信周波数が切り換えられて受信する放送波が順次切り換えられ、各放送波により放送される各番組のプログラムタイプ、ビットレートがサーチされる。またこのサーチ結果により、事前に設定されたプログラムタイプの番組が、ビットレートの高い順に選択されて、選局用の操作子７Ａ〜７Ｆに係るメモリに、これら番組の選局に必要な情報が記録される。これにより自動的に、選局用の操作子７Ａ〜７Ｆに番組が登録される。
【００２９】
ここでこのようにして登録される番組は、ユーザーの所望するジャンルの番組であって、かつビットレートの高いものであり、このようにビットレートの高い番組にあっては、ビットレートの低い番組に比してユーザーの所望する番組である可能性が高いと言える。これによりこの実施例では、簡易な操作により自動的に所望する番組をメモリ登録することができる。
【００３０】
（３）実施例の効果
以上の構成によれば、番組のジャンルとビットレートとにより番組を選択してプリセットメモリの処理を実行することにより、所望する番組を簡易かつ確実にメモリ登録することができる。
【００３１】
またこのとき番組の選択に必要な情報をメモリに記録してメモリ登録するようにして、この番組の選択に必要な情報が、少なくとも放送波の受信周波数と選局情報とであることによりＤＡＢに適用して、所望する番組を簡易かつ確実にメモリ登録することができる。
【実施例２】
【００３２】
なお上述の実施例においては、ジャンル毎にビットレートの高い順に番組を選択して登録する場合について述べたが、本発明はこれに限らず、ジャンルによっては、このビットレートの高い順の登録の処理を中止するようにしてもよい。なおこのようなジャンルにあっては、ニュースを適用することができる。
【００３３】
また上述の実施例においては、車載用ＤＡＢ受信機に本発明を適用する場合について述べたが、本発明はこれに限らず、据え置き型のＤＡＢ受信機に本発明を適用するようにしてもよく、さらには１つの放送波により多数の番組を多重化して提供する種々のラジオ放送の受信機に広く適用することができる。
【産業上の利用可能性】
【００３４】
本発明は、ラジオ受信機及びラジオ受信機の制御方法に関し、例えばＤＡＢによる地上ディジタル音声放送方式の受信機に適用することができる。
【図面の簡単な説明】
【００３５】
【図１】本発明の実施例１に係る車載用ＤＡＢ受信機に係るコントローラの処理手順を示すフローチャートである。
【図２】本発明の実施例１に係る車載用ＤＡＢ受信機の正面図である。
【図３】図１の車載用ＤＡＢ受信機を示すブロック図である。
【図４】従来のオートメモリに係る処理手順を示すフローチャートである。
【符号の説明】
【００３６】
１……車載用ＤＡＢ受信機、２〜６、７ＡＳ〜７Ｆ、８……操作子、１１……チューナー、１２……コントローラ、１４……アナログディジタル変換回路、１５……ベースバンド処理部
【図１】
2007043350.tif 000003
【図２】
2007043350.tif 000004
【図３】
2007043350.tif 000005
【図４】
2007043350.tif 000006